(57)【要約】【課題】所定の手順で扉が開かれなかったことを検知するとともに、所定の手順で扉が開かれなかった場合には、報知することができる遊技機を提供する。【解決手段】筺体４内部には上扉用フォトセンサ３５と下扉用フォトセンサ３６が設けられている。上扉７の裏面には、上扉用フォトセンサ３５に対応するように遮光板４７が、下扉８の裏面には、下扉用フォトセンサ３６に対応するように遮光板６６が設けられている。扉が閉じられた状態では、発光器３５ａ及び発光器３６ａから放射されている光線は、遮光板４７及び遮光板６６によって遮光されている。扉が開かれると遮光が解除される。受光器３５ｂ及び受光器３６ｂは制御回路に接続されており、この制御回路によって扉の開閉状態が常に監視されている。所定の手順で扉が開かれなかった場合には、スピーカ６４や報知ランプ等で所定の報知が実行される。【選択図】        図２
2004275389.tif 000002
【特許請求の範囲】
【請求項１】
筺体の正面に少なくとも２つの扉を有する遊技機において、前記筺体又は扉の少なくともどちらか一方に、扉が開かれたか否かを検知する扉開閉検知手段を設けるとともに、前記扉開閉検知手段からの検知情報に基づいて、所定の手順で扉が開かれたか否かを判定する判定手段を設けたことを特徴とする遊技機。
【請求項２】
前記扉開閉検知手段は、非接触型センサからなることを特徴とする請求項１記載の遊技機。
【請求項３】
前記扉開閉検知手段は、光線の送受を行う発光器及び受光器を備えたフォトセンサと、前記発光器及び受光器の間に介在して前記光線を遮光する遮光手段とからなり、前記筺体又は扉の一方に前記フォトセンサを設けるとともに、前記筺体又は扉の他方に前記遮光手段を設け、フォトセンサにより光線が遮光されているか否かを検出することを特徴とする請求項１記載の遊技機。
【請求項４】
前記扉が所定の手順で開かれなかったことを報知する報知手段を設けたことを特徴とする請求項１乃至３記載の遊技機。
【発明の詳細な説明】
【０００１】
【発明の属する技術分野】
本発明は、筺体の正面に複数の扉を有する遊技機に関し、特に、扉が不正に開扉されることを検知する遊技機に関する。
【０００２】
【従来の技術】
パチンコ機やスロットマシン等のホールなどの遊技場に設置し使用される遊技機は、通常、筺体の正面部に扉が開閉自在に取り付けられている。遊技機の内部は扉を開くことによって見ることができる。したがって、ホールの作業者は、扉を開扉することにより、必要な作業（例えば、遊技球や遊技メダルの払出し量の設定，変更、遊技機の修理，調整等）が行えるようになっている。そして、通常、扉は、ホールのオープン後は鍵がかけられて筺体側に施錠され、鍵を持ったホールの作業者でなければ開扉できないようになっている。
【０００３】
また、このような遊技機の中には、正面部が複数の扉で構成されているものもある。この種の遊技機では、予め定められた順序で扉を開かなければ、全ての扉を開くことができないように構成されているものがある。例えば、正面部が上扉及び下扉で構成されているスロットマシンでは、下扉を開かなければ機構的に上扉を開くことができないような構造になっており、下扉は鍵がかけられて筺体側に施錠され、鍵を持ったホールの作業者でなければ開扉できないようになっている。
【０００４】
ところで、上述したスロットマシンの内部には、遊技及び演出を制御するための制御装置が組み込まれており、この制御装置は、上扉を開扉することで、外部に露呈され、異常時の修理やペイアウト率の設定などが行えるようになっている。上述したように、上扉を開扉させるためには、まず下扉を開扉させなければならないが、下扉を開扉させるために必要な鍵は、ホールの作業者しか所有していないため、通常は、ホールの作業者以外の者が下扉及び上扉を開扉して、スロットマシンの内部にある制御装置を見たり、触ったりすることはできないようになっている。これにより、遊技者の不正な行為を防止できる。
【０００５】
【発明が解決しようとする課題】
しかしながら、正面部が下扉と上扉とで構成されたスロットマシンでは、不正に遊技メダルの払い出しを得るために、下扉を閉じた状態で上扉だけを強引に開扉し、制御装置に細工が施される恐れがある。また、スロットマシン内部の修理時の閉め忘れ、各種装置の設置などの際に生じたトラブルが原因で下扉が閉じた状態にあるにも関わらず上扉が開いた状態となってしまい、これにより、制御装置に細工が施されることも考えられる。
【０００６】
本発明は上記事情を考慮してなされたもので、複数の扉を有する遊技機において、所定の手順で扉が開かれなかったことを検知できる遊技機を提供することを目的とする。加えて、不正な扉の開放などの行為を防ぐことができる遊技機を提供することも本発明の別の目的である。
【０００７】
【課題を解決するための手段】
上記目的を達成するために、本発明の遊技機は、筺体の正面に少なくとも２つの扉を有するものであって、前記筺体又は扉の少なくともどちらか一方に、扉が開かれたか否かを検知する扉開閉検知手段を設けるとともに、前記扉開閉検知手段からの検知情報に基づいて、所定の手順で扉が開かれたか否かを判定する判定手段を設けたことを特徴とする。
【０００８】
また、前記扉開閉検知手段は、非接触型センサからなることを特徴とする。
【０００９】
また、前記扉開閉検知手段は、光線の送受を行う発光器及び受光器を備えたフォトセンサと、前記発光器及び受光器の間に介在して前記光線を遮光する遮光手段とからなり、前記筺体又は扉の一方に前記フォトセンサを設けるとともに、前記筺体又は扉の他方に前記遮光手段を設け、フォトセンサにより光線が遮光されているか否かを検出することを特徴とする。
【００１０】
また、前記扉が所定の手順で開かれなかったことを報知する報知手段を設けたことを特徴とする。
【００１１】
【発明の実施の形態】
以下、本発明の実施の形態を図面を参照して説明する。図１及び図２に示すように、スロットマシン２は大別して、正面に開口部３を有する筺体４、筺体４内部に着脱自在に設けられる交換ユニット５、筺体４の開口部３を開閉自在に塞ぐ前扉６とから構成されており、さらにこの前扉６は、筺体４の上部開口３ａを開閉自在に塞ぐ上扉７、筺体の下部開口３ｂを開閉自在に塞ぐ下扉８とから構成されている。
【００１２】
筺体４は、底板１０、側板１１、天板及び裏板から形成されており、高さ方向略中央部には、二つの側板１１の間に水平方向に中板１２が設けられている。そして、この中板１２の下面には電源ユニット１５が設けられ、底板１０にはホッパーユニット１６が載置されている。電源ユニット１５は、中板１２の下面に取り付け板等を介して取り付けられており、特に図示しないが電源装置が内装されているとともに、正面側にはスロットマシン２の主電源を入れるための電源スイッチ１７等が設けられている。
【００１３】
正面左側の側板１１には、前扉６を係合させ、回転自在に支持するための係合部が設けられている。この係合部は、上扉７を係合させ、回転自在に支持するための上部係合部２０と、下扉８を係合させ、回転自在に支持するための下部係合部２１とから構成されており、これらは正面左側の側板１１に、上下方向に間隔を置いてそれぞれ二つづつ設けられている。さらに、上部係合部２０の対向側の側板１１には、上扉７を閉めた際、上扉７をロックするための突出片２２（上扉ロック機構４８）が上下方向に間隔をおいて二つ設けられている。また、下部係合部２１の対向側の側板１１には、下扉８を閉めた際、下扉８をロックするための突出片２３（下扉ロック機構６７）が上下方向に間隔をおいて二つ設けられている。
【００１４】
交換ユニット５は、種々の部品を設置あるいは固定するための支持体２５、この支持体２５に固定されたリールユニット２６及び基板ユニット（不図示）とから構成されており、中板１２の上に乗せられ、上部開口３ａ内部に収納されている。リールユニット２６は、外周に複数の絵柄が一定ピッチで配列されている第１〜第３リール３０〜３２と、特に図示しないが第１〜第３リール３０〜３２を回転させるための駆動モータを有している。また、基板ユニットには、スロットマシン２の作動を制御するための中央制御装置８０が組み込まれており、この中央制御装置８０は、制御回路８１及びＣＰＵ８２を中心にして構成されている（図５参照）。
【００１５】
中板１２上面の正面左側には、リールユニット２６と隣接して、光線の送受を行う発光器３５ａ及び受光器３５ｂからなる上扉用フォトセンサ３５が載置されている。また、この上扉用フォトセンサ３５と同様に発光器３６ａ及び受光器３６ｂからなる下扉用フォトセンサ３６が、底板１９上面の正面左側にホッパーユニット１６と隣接して載置されている。なお、発光器３５ａ及び受光器３５ｂは、光線の送受が行われて、受光及び遮光を検知できるものであればどのようなものでもよい。一般的には、ＬＥＤとフォトダイオードからなる光センサが用いられる。このようなＬＥＤとフォトダイオードからなる光センサは高性能かつ非常に小型化されており、設置スペースがきわめて限定されたスロットマシン２内部に設定する光センサとして好適である。
【００１６】
上扉７は、筺体４の側板１１に回転自在かつロック可能に形成されている扉であり、前面には第１〜第３リール３０〜３２の絵柄を正面側から観察することができる表示窓４０、種々の表示を行うためのＬＣＤパネル４１、エラーコードやメダルのクレジット枚数などを表示するための表示部４２が設けられている。また、上扉７には、その周囲を取り囲むように飾り部４３が設けられている。この飾り部４３は、入賞やエラーが発生した時に点滅して報知を行う報知ランプ４４と、演出時に点灯する演出用ランプ４５とから構成されている。
【００１７】
上扉７の裏面には、上部係合部２０に係合可能な上扉係合部４６が上下方向に間隔をおいて二つ設けられており、上扉係合部４６は、上部係合部２０に回動自在となるように取り付けられる。さらに、上扉７の裏面右隅には、遮光板４７が設けられている。この遮光板４７はＬ字状に屈曲形成された板状部材からなり、Ｌ字の垂直板部分が上扉７の内側面に固着されており、これによってＬ字の水平板部分が上扉用フォトセンサ３５の発光器３５ａと受光器３５ｂの光軸間に突出するようになっている。よって、上扉７が閉められた状態では、上扉用フォトセンサ３５の発光器３５ａから受光器３５ｂに向けて放射されている光線は、遮光板４７によって遮光される。
【００１８】
また、上扉係合部４６の対向側には、上扉ロック機構４８が設けられている。上扉ロック機構４８は、図３に示すように、上扉７の裏面側部に固着された固定部７０と、この固定部７０に上下方向に摺動可能に取り付けられた可動部７１と、側板１１に設けられた突出片２２とから構成されている。固定部７０は可動部７１を支持するためのものであり、可動部７１は、側板１１の突出片２２に係合し、上扉７と筺体４とをロックし又はロック解除するためのものである。
【００１９】
固定部７０には、ピン７２及びストッパー７３が設けられており、これらで可動部７１を支持している。さらに、固定部７０と可動部７１との間に取り付けられたバネ７４が、可動部７１を常に上方向に引き上げるように働いており、一方可動部７１には段部７５が設けられ、この段部７５がストッパー７３に当接して可動部７１を係止している。
【００２０】
可動部７１には、斜辺７６ａと溝部７６ｂとを有する係止片７６が二つ設けられており、溝部７６ｂに突出片２２が引っ掛かり、かつ可動部７１はバネ７４の弾性復元力によって上方向に引っ張られるので、上扉７と筺体４とがロックされた状態になる。また、可動部７１の下端には、ロックを解除するための解除つまみ７７が設けられている。解除つまみ７７は、上扉７の下面よりも下方に突出しており、この解除つまみ７７を下に引っ張ると、係止片７６の溝部７６ｂから突出片２２が外れ、ロックが解除される。なお、解除つまみ７７は、下扉８を開かないと操作できないようになっているが、これについては後述する。
【００２１】
開いた状態の上扉７を閉めるときには、係止片７６の斜辺７６ａが突出片２２に当接し、さらに扉を閉める方向に押すと可動部７１は徐々に下に下がっていく。そしてさらに扉を閉める方向に押すと、可動部７１はバネ７４により上方向に引っ張られるので、ついには突出片２２が斜辺７６ａを乗り越えるような形で溝部７６ｂに嵌り込み、係止片７６は突出片２２に係止される。すなわち、上扉ロック機構４８は、扉を閉めれば自動的にロックされるように形成されている。
【００２２】
図１及び図２に示すように、下扉８は、筺体４の下部開口３ｂを塞ぐための扉であり、筺体４の側板１１に回転自在かつロック可能に形成されている。下扉８の上部には、スロットマシン２を作動させるための操作パネル５１が設けられている。操作パネル５１は、ベットボタン５２、ＭＡＸベットボタン５３、第１〜第３リール３０〜３２の回転を別個に停止させるための第１〜第３ストップボタン５４〜５６、第１〜第３リール３０〜３２を回転させるためのスタートレバー５７、ペイアウトボタン５８等の各種の操作ボタンによって構成されている。操作パネル５１の横にはメダル投入口５９が設けられている。また、スロットマシン２の前面下方には、メダルを外部に排出するメダル排出口６０と、排出されたメダルが一時的に貯留されるメダル受け皿６１とが設けられている。
【００２３】
下扉８の正面右上には鍵穴６２が設けられている。鍵穴６２は、下扉８を解錠するためのものであり、この鍵穴６２に所定の鍵を差し込んで回すと、下扉８のロックが解錠される。そして、この下扉８が解錠されることにより、上扉７も開放可能となる。
【００２４】
下扉８の裏面側には、メダル投入口５９から投入されたメダルを適正にホッパーユニット１６に送り出すためのメダルセレクター、種々の音声を出力するためのスピーカ６４等の各種装置が設けられている。また、下部係合部２１と係合可能な下扉係合部６５が上下方向に間隔をおいて二つ設けられており、下扉係合部６５は、下部係合部２１に回動自在となるように取り付けられる。さらに、下扉８の裏面右隅には、上扉７のものと同様の構成をしている遮光板６６が設けられている。下扉８が閉められた状態では、下扉用フォトセンサ３６の発光器３６ａから受光器３６ｂに放射されている光線は遮光板６６によって遮光される。
【００２５】
下扉係合部６５の対向側には、下扉ロック機構６７が設けられている。この下扉ロック機構６７の構造は、上扉７のものとほぼ同様であるので、重複する部分は同一の符号を付してその説明を省略し、上扉と異なる部分の詳細を説明する。図４に示すように、下扉ロック機構６７は、上扉ロック機構４８の下端にある解除つまみ７７が無い代わりに、鍵穴６２に所定の鍵を差し込んで解錠するようになっている。鍵穴６２の内部には、特に図示しないが、所定の鍵を差し込むと嵌り合う溝を有する解錠用鍵と、解錠用鍵から扉内側に向かって延びる解錠用シャフト９０が設けられている。そして、解錠用シャフト９０の先端には、突起を有する解錠用カム９１が形成されている。一方、可動部７１の上端部は突出片９２となっており、この突出片９２には開口９３が設けられている。さらに、開口９３には、解錠用カム９１の突起が係止されている。すなわち、側板１１に設けられた突出片２３が係止片７６の溝部７６ｂに嵌り込み、下扉８が筺体４にロックされた状態になる。
【００２６】
このロックを解除するときは、鍵穴６２に所定の鍵を差し込んで所定方向に回すと、解錠用シャフト９０の先端に設けられた解錠用カム９１が、図４における矢印方向に回転する。このとき、開口９３に係止されている解錠用カム９１の突起が可動部７１を押し下げ、係止片７６の溝部７６ｂから突出片２３が外れ、ロックが解除される。なお、下扉ロック機構６７も、上扉７と同様に、扉を閉めれば自動的にロックされるように形成されている。
【００２７】
ここで、上扉ロック機構４８及び下扉ロック機構６７を用いたスロットマシン２のロック管理について説明する。図１に示すように、閉扉時において、上扉ロック機構４８の解除つまみ７７は、扉内部に隠れて閉まっているので、スロットマシン２の外側から操作可能な解錠手段は、鍵穴６２のみである。したがって、所定の鍵を用いて下扉８を開けることはできるが、下扉８が施錠されている状態で上扉７を開けることはできない。また、下扉８を解錠して開くと、上扉ロック機構４８の解除つまみ７７が操作可能となる。したがって、上扉７を解錠するには、下扉８を開けて、解除つまみ７７を引き下げてロックを解除しなければならない。このように、下扉８の鍵がなければ上扉７を解錠できないので、下扉８の鍵の使用を管理することにより、基板等の一般人には手を触れられたくない部品をガードすることができる。
【００２８】
次に、扉が開かれたか否かを検知する扉開閉検知手段について説明する。スロットマシン２には、上扉７については上扉用フォトセンサ３５及び遮光板４７が、下扉８については下扉用フォトセンサ３６及び遮光板６６がそれぞれ扉開閉検知手段として設けられており、図５に示すように、上扉用フォトセンサ３５の受光器３５ｂ及び下扉用フォトセンサ３６の受光器３６ｂは、ともに交換ユニット５の中央制御装置８０の制御回路８１に接続されている。
【００２９】
上扉用フォトセンサ３５（下扉用フォトセンサ３６）は、発光器３５ａ（発光器３６ａ）と受光器３５ｂ（受光器３６ｂ）とから構成されており、受光器３５ｂ（受光器３６ｂ）は、発光器３５ａ（発光器３５ａ）から放射された光線を検出すると、光検出信号を中央制御装置８０の制御回路８１に出力する。制御回路８１は、上扉７及び下扉８の開閉状態を常に監視しており、光検出信号の入力の有無により、上扉７及び下扉８の開閉状態を判定している。上扉７（下扉８）が閉められている状態では、光線は遮光板４７（遮光板６６）によって遮光されているため、受光器３５ｂ（受光器３６ｂ）からは光検出信号は出力されない。すなわち、制御回路８１では、上扉７（下扉８）は閉められた状態にあると判定される。
【００３０】
所定の手順で扉が開かれたか否かを判定する判定手段として機能する制御回路８１の判定部８１ａでは、受光器３５ｂ、３６ｂから出力される光検出信号うち、どちらの光検出信号が先に出力されたかが判定される。制御回路８１は、ＣＰＵ８２を介してスピーカ６４や報知ランプ４４に接続されており、受光器３５ｂからの光検出信号が先に出力された場合には、この光検出信号に基づいて、制御回路８１からＣＰＵ８２を介して報知ランプ４４とスピーカ６４に電気信号が出力される。電気信号を入力した報知ランプ４４とスピーカ６４は、報知ランプ４４を点滅させたり、スピーカ６４から不正開扉を報知する警告音を発生させる。一方、受光器３５ｂからの光検出信号よりも受光器３６ｂからの光検出信号の方が先に出力された場合には、電気信号は出力されず、報知ランプ４４やスピーカ６４による報知は行われない。このようにＣＰＵ８２、スピーカ６４及び報知ランプ４４は報知手段として機能するように構成されている。
【００３１】
以下、上記構成による作用について説明する。図６に示すように、下扉８が開かれず、上扉７も開かれない場合、つまり上扉７及び下扉８が閉められている状態（図１の状態）では、上扉用フォトセンサ３５の発光器３５ａから放射される光線は、遮光板４７によって遮光され、下扉用フォトセンサ３６の発光器３６ａから放射される光線は、遮光板６６によって遮光されているため、上扉用フォトセンサ３５の受光器３５ｂ、下扉用フォトセンサ３６の受光器３６ｂからは光検出信号は出力されず、制御回路８１は、上扉７及び下扉８が閉められた状態にあると判定する。
【００３２】
図６に示すように、下扉８が開かれずに、上扉７が開かれた場合、すなわち、下扉用フォトセンサ３５では受光が行われず、上扉用フォトセンサ３５では遮光板４７による遮光が解除され、受光が行われた場合、制御回路８１には、受光器３５ｂからの光検出信号だけが入力され、制御回路８１の判定部８１ａによって不正な手順で上扉７が開かれたと判定される。そして制御回路８１は、ＣＰＵ８２を介して報知手段である報知ランプ４４、スピーカ６４に電気信号を出力する。この電気信号を入力した報知ランプ４４とスピーカ６４は所定の報知を実行する。つまり、報知ランプ４４は点滅し、スピーカ６４からは警告音が発せられる。
【００３３】
一方、図６に示すように、下扉８が開かれた後に、上扉７が開かれた場合、すなわち、下扉用フォトセンサ３６で受光が行われた後に上扉用フォトセンサ３５で受光が行われた場合、制御回路８１には、受光器３６ｂから出力された光検出信号が、受光器３５ｂから出力された光検出信号よりも先に入力される。制御回路８１の判定部８１ａでは、正しい手順を踏んで上扉７が開かれたと判定されるので、この場合、報知手段による報知は行われない。
【００３４】
つまり、本実施形態では、下扉８が上扉７よりも先に開かれる手順が所定の手順であり、この所定の手順と逆の手順、即ち、上扉７が下扉８よりも先に開かれた場合には、所定の手順で開かれなかったと制御回路８１（判定手段）の判定部８１ａが判断して、報知ランプ４４とスピーカ６４（報知手段）が報知を行うようになっているのである。
【００３５】
上記実施形態では、前扉６は上扉７と下扉８とから構成されているが、前扉６が３つ以上の扉からなる場合には、それぞれの扉に対して、扉開閉検知手段を設け、制御回路８１にて、正しい手順を踏んで扉が開かれた否かを判定するようにすれば良い。
【００３６】
上記実施形態では、上扉用フォトセンサ３５及び下扉用フォトセンサ３６から出力されれる光検出信号の検知を制御回路８１で行ったが、光検出信号の出力状態をソフトウエアによって監視するようにしても良い。
【００３７】
上記実施形態では、上扉用フォトセンサ３５と下扉用フォトセンサ３６とを筺体４内部に、遮光板４７と遮光板６６とをそれぞれ上扉７と下扉８に設置したが、この設置形態に限ることなく、遮光板４７と遮光板６６とを筺体４内部に設置し、上扉用フォトセンサ３５と下扉用フォトセンサ３６とをそれぞれ上扉７と下扉８に設置するようにしても良い。また、フォトセンサ及び遮光板の大きさ、形状、設置箇所及び設置数は、スロットマシンの大きさや構造などに応じて適宜に決定すれば良い。
【００３８】
上記実施形態では、発光器と受光器とからなるフォトセンサを用いたが、扉の開閉状態を検知できるセンサであればどのようなものでも良い。例えば、筺体側又は扉側に非接触型センサを取り付けておき、この非接触型センサで扉の開閉状態を検知するようにすることもできる。この場合、扉の開閉を検知できるものであれば、あらゆる形式の非接触型センサが使用可能である。
【００３９】
上記実施形態では、不正開扉の報知を報知ランプ４４とスピーカ６４で行えるようにしたが、これに限ることなく、外部に不正開扉を報知できるものであればどのような手段であっても良く、例えば、筺体４内部の配線を経由して、遊技者に分からないホール側の事務所や端末等において不正を報知するようにしても良い。
【００４０】
また、不正な手順で扉が開かれたことを検知したときに、報知ランプ４４により報知したが、例えばスロットマシンの電源を落とすなど、扉の開閉順の判定結果を適宜の手段に用いて良い。
【００４１】
上記実施形態では、スロットマシンを例に挙げ説明したが、これに限ることなく、パチンコ球を遊技媒体として用いるパチンコ機においても本発明を適用することができる。
【００４２】
【発明の効果】
以上のように、本発明の遊技機によれば、筺体又は扉の少なくともどちらか一方に、扉が開かれたか否かを検知する扉開閉検知手段を設けるとともに、扉開閉検知手段からの検知情報に基づいて、所定の手順で扉が開かれたか否かを判定する判定手段を設けたので、所定の手順で扉が開かれなかったことを検知することができ、不正な扉の開放、修理や調整などを行った際の扉の閉め忘れがあったか否かを確実に確認し得る。加えて、扉が所定の手順で開かれなかったことを報知する報知手段を設けることで、不正な扉の開放や、修理や調整などを行った際の扉の閉め忘れなどを外部から視覚や聴覚によって容易に確認することができ、これにより、不正な扉の開放行為や扉の閉め忘れなどを防止することができる。
【図面の簡単な説明】
【図１】本発明を採用したスロットマシンの外観を示す概略斜視図である。
【図２】スロットマシンの分解斜視図である。
【図３】上扉ロック機構の概略を示す断面図である。
【図４】下扉ロック機構の概略を示す断面図である。
【図５】スロットマシンの電気的構成の概略を示す機能ブロック図である。
【図６】扉の開閉手順を示すフローチャートである。
【符号の説明】
２  スロットマシン
４  筺体
３５  上扉用フォトセンサ
３６  下扉用フォトセンサ
３５ａ、３６ａ  発光器
３５ｂ、３６ｂ  受光器
４４  報知ランプ
４７、６６  遮光板
６４  スピーカ
【図１】
2004275389.tif 000003
【図２】
2004275389.tif 000004
【図３】
2004275389.tif 000005
【図４】
2004275389.tif 000006
【図５】
2004275389.tif 000007
【図６】
2004275389.tif 000008